(57)【要約】【課題】本発明は、素足感覚が損なわれることを低減しつつ、稀に下駄等を履く人の甲摺れ、指間摺れ及び足裏摺れを防止することができる足カバーを提供すること。【解決手段】足を差し入れるための開口部であって、少なくとも踵が露出するように形成される第１開口部２０ａと、足の親指が露出するように形成される第２開口部２０ｂと、足の第２指、第３指、第４指及び第５指が露出するように形成される第３開口部２０ｃと、甲摺れ防止部２２ｂａ，２２ｂｂと、指間摺れ防止部２０ｄと、足裏摺れ防止部２４ｂａ，２４ｂｂと、を有することを特徴とする足カバー。【選択図】図３
2009247447.tif 000002
【特許請求の範囲】
【請求項１】
台座と鼻緒を有する履物の履用の際に使用し、足の一部を覆う足カバーであって、
足を差し入れるための開口部であって、少なくとも踵が露出するように形成される第１開口部と、
足の親指が露出するように形成される第２開口部と、
足の第２指、第３指、第４指及び第５指が露出するように形成される第３開口部と、
鼻緒を構成する横緒と足の甲とが摺れて、履用者が苦痛を感じることを防止する甲摺れ防止部と、
鼻緒を構成する前緒と、親指と第２指との指間部とが摺れて、履用者が苦痛を感じることを防止する指間摺れ防止部と、
台座と足の裏とが摺れて、履用者が苦痛を感じることを防止する足裏摺れ防止部と、
を有することを特徴とする足カバー。
【請求項２】
前記甲摺れ防止部は、前記横緒の長さと略同一の長さを有し、前記横緒と略同一の幅を有することを特徴とする請求項１に記載の足カバー。
【請求項３】
前記甲摺れ防止部の幅は、前記横緒の幅の１倍〜５倍であることを特徴とする請求項１に記載の足カバー。
【請求項４】
前記足裏摺れ防止部は、親指の付け根である拇指丘及び小指の付け根である小指丘には接するが、足の踵には接しないように形成されていることを特徴とする請求項１〜３のいずれかに記載の足カバー。
【請求項５】
前記足カバーは、伸縮性及び弾力性を有する素材で形成されることを特徴とする請求項１〜４のいずれかに記載の足カバー。
【発明の詳細な説明】
【技術分野】
【０００１】
本発明は、台座と鼻緒を有する下駄等の履物の履用の際に使用し、足の一部を覆う足カバーに関する。
【背景技術】
【０００２】
夏祭り等において、浴衣等の和服を着ることは、夏らしさを演出し、人々の楽しみの一つとなっている。そのときに、下駄等の日本らしさのある履物を素足に履くと、一層日本の夏を感じられ、好ましい。
図１１は、右足１０（以下、「足１０」と呼ぶ）に下駄１２を履いた状態を示す概略斜視図である。図１１に示すように、下駄１２は、台座１４と鼻緒１６を有する。鼻緒１６は、前緒１６ａと横緒１６ｂ及び横緒１６ｃとから構成される。足１０が台座１４に載置された状態で、親指１０ｃと第２指（人差指）１０ｄとの間に前緒１６ａが挟まれ、横緒１６ｂ及び横緒１６ｃによって足１０の甲が押さえられている。人が歩くときには、足１０が上下左右に動き、足１０と台座１４、親指１０ｃと第２指（人差指）１０ｄとの間と前緒１６ａ、横緒１６ｂ及び横緒１６ｃと足１０の甲が互いに摺れる。
ところで、夏祭り等の機会は稀である。日常生活において下駄等を履かない人が、稀に下駄等を履くと、足が痛くなったり、怪我をする場合がある。図１２は、下駄等を履く場合に生じ得る痛みや怪我の部位を示す概略図である。横緒１６ｂ及び横緒１６ｃと足１０の甲が互いに摺れることによって、図１２（ａ）に示すように、足の甲の部分１０ｂａ及び１０ｂｂが痛くなったり、擦り剥けたりする。また、前緒１６ａと親指１０ｃとが摺れることによって、親指１０ｃの内側部１０ｂｃが痛くなったり、擦り剥けたりする。同様に、前緒１６ａと第２指１０ｄとが摺れることによって、第２指１０ｄの内側部１０ｂｄが痛くなったり、擦り剥けたりする。また、前緒１６ａと親指１０ｃと第２指１０ｄ間とが摺れることによって、図１２（ｂ）に示すように、親指１０ｃと第２指１０ｄ間１０ｉが痛くなったり、擦り剥けたりする。さらに、下駄等の台座１４と足の裏とが摺れて、図１２（ｃ）に示すように、親指１０ｃの付け根の部分（以下、「拇指丘」と呼ぶ）１０ｈａ及び第５指の付け根の部分（以下、「小指丘」と呼ぶ）１０ｈｂが痛くなったり、擦り剥けたりする。
以下、下駄等の鼻緒と足の甲とが摺れて、履用者が苦痛を感じることを「甲摺れ」と呼ぶ。また、前緒と親指と第２指との指間部とが摺れて、履用者が苦痛を感じることを「指間摺れ」と呼ぶ。さらに、台座と足の裏とが摺れて、履用者が苦痛を感じることを「足裏摺れ」と呼ぶ。「甲摺れ」、「指間摺れ」及び「足裏摺れ」を総称して「足摺れ」と呼ぶ。
これらの苦痛や怪我は、足袋や靴下を履けば予防あるいは解消することができる。しかし、夏祭り等において浴衣等の和服を着て素足に下駄等を履くのは、雰囲気やファッションを楽しむためであるから、足袋や靴下を履くと、その雰囲気やファッションが損なわれる。以下、素足に下駄等を履くことによる雰囲気やファッションを楽しむことを「素足感覚」と呼ぶ。
このため、足袋や靴下を履かずに上述の苦痛や怪我を防止するために、例えば、前緒（「前ツボ」とも呼ぶ）が親指と第２指間に食い込むことを防止する鼻緒構造が提案されている（例えば、特許文献１）。
【０００３】
【特許文献１】特開２００１−７８８０２号
【発明の開示】
【発明が解決しようとする課題】
【０００４】
特許文献１の技術においては、親指と第２指間に前緒が食い込むことを防止することができる。しかし、稀に下駄等を履く人は、親指と第２指間に前緒が食い込まないとしても、前緒と、親指と第２指間とが摺れて、履用者は苦痛を感じるから、指間摺れを防止することはできないという問題がある。また、特許文献１の技術においては、甲摺れを防止することができず、足裏摺れを防止することもできないという問題がある。
【０００５】
そこで、本発明は、素足感覚が損なわれることを低減しつつ、稀に下駄等を履く人の甲摺れ、指間摺れ及び足裏摺れを防止することができる足カバーを提供することを目的とする。
【課題を解決するための手段】
【０００６】
第１の発明は、台座と鼻緒を有する履物の履用の際に使用し、足の一部を覆う足カバーであり、この足カバーは、足を差し入れるための開口部であって、少なくとも踵が露出するように形成される第１開口部と、足の親指が露出するように形成される第２開口部と、足の第２指、第３指、第４指及び第５指が露出するように形成される第３開口部と、鼻緒を構成する横緒と足の甲とが摺れて、履用者が苦痛を感じることを防止する甲摺れ防止部と、鼻緒を構成する前緒と、親指と第２指との指間部とが摺れて、履用者が苦痛を感じることを防止する指間摺れ防止部と、台座と足の裏とが摺れて、履用者が苦痛を感じることを防止する足裏摺れ防止部と、を有することを特徴とする足カバーである。
【０００７】
第１の発明の構成によれば、足カバーは、足の全部を覆うのではなくて、踵、親指、第２指、第３指、第４指及び第５指が露出するように形成されているから、素足感覚が損なわれることを防止することができる。また、足カバーは甲摺れ防止部を有するから、甲摺れを防止することができる。また、足カバーは、指間摺れ防止部を有するから指間摺れを防止することができる。さらに、足カバーは、足裏摺れ防止部を有するから、足裏摺れを防止することができる。
【０００８】
第２の発明は、第１の発明の構成において、前記甲摺れ防止部は、前記横緒の長さと略同一の長さを有し、前記横緒と略同一の幅を有することを特徴とする。
【０００９】
第２の発明の構成によれば、甲摺れ防止部の大きさが最低限度において、甲摺れを防止することができる。このため、素足感覚が損なわれることを、最低限にすることができる。
【００１０】
第３の発明は、第１の発明の構成において、前記甲摺れ防止部は、前記横緒の幅の１倍〜５倍の幅であることを特徴とする。
【００１１】
第３の発明の構成によれば、下駄等の履用者が足を激しく左右に振る動作をしたとしても、確実に甲摺れを防止することができる。
【００１２】
第４の発明は、第１の発明乃至第３の発明のいずれかの構成において、前記足裏摺れ防止部は、親指の付け根である拇指丘及び小指の付け根である小指丘には接するが、足の踵には接しないように形成されていることを特徴とする。
【００１３】
第４の発明の構成によれば、素足感覚が損なわれることを最低限にしつつ、足裏摺れを防止することができる。
【００１４】
第５の発明は、第１の発明乃至第４の発明のいずれかの構成において、前記足カバーは、伸縮性及び弾力性を有する素材で形成されることを特徴とする。
【００１５】
第５の発明の構成によれば、足カバーは伸縮性を有する素材で形成されるから、足カバーと足が密着し、甲摺れ、指間摺れ、足裏摺れを効率的に防止することができる。また、足カバーが伸縮性を有する素材で形成されていることにより、個々人によって足のサイズが異なっても、足カバーと足を密着させることができる。さらに、前記足カバーは、弾力性を有する素材で形成されるから、足と鼻緒や台座とが接触する際に生じる圧迫感を軽減し、快適な履き心地を実現することができる。
【発明の効果】
【００１６】
本発明によれば、素足感覚が損なわれることを低減しつつ、稀に下駄等を履く人の甲摺れ、指間摺れ及び足裏摺れを防止することができる足カバーを提供することができる。
【発明を実施するための最良の形態】
【００１７】
以下、本発明の実施形態の一例について、添付した図面を参照しながら、具体的に説明する。
【００１８】
図１は、本実施形態の足カバー２０が、足１０に装着された状態を示す概略斜視図である。図２は、足カバー２０を、図１の矢印Ｘ方向から見た図である。足１０は、右足である。本実施形態においては、右足の足カバー２０についてのみ説明し、左足の足カバーについての説明は省略する。図３及び図４は、足カバー２０の概略斜視図である。図１及び図２に示すように、下駄１２は、台座１４及び鼻緒１６を有する。鼻緒１６は、前緒１６ａと横緒１６ｂ及び１６ｃを有する。下駄１２は、台座と鼻緒を有する履物の一例である。台座と鼻緒を有する履物としては、他にも、例えば、草履やビーチサンダルがある。
【００１９】
図１及び図２に示すように、足カバー２０は、下駄１２の履用の際に使用され、足１０の一部を覆うように形成されている。具体的には、足カバー２０は、足１０が鼻緒と接する部分を覆い、足の踵部１０ａを覆わないようになっている。また、足カバー２０は、足の甲の一部は覆うが、そのほかの大部分は覆わないようになっている。
【００２０】
図３及び図４に示すように、足カバー２０は、第１部２２及び第２部２４で形成されている。足カバー２０は、足１０を差し入れるための開口部であって、少なくとも踵が露出するように形成されている第１開口部２０ａを有する。第１開口部２０ａは、足１０を通して履くときの入り口となる。また、足カバー２０は、親指１０ｃが露出するように形成される第２開口部２０ｂを有する。また、足カバー２０は、第２指（人差指）１０ｄ、第３指（中指）１０ｅ、第４指（薬指）１０ｆ及び第５指（小指）１０ｇが露出するように形成されている第３開口部２０ｃを有する。
【００２１】
図５は、図３の足カバーを紙面手前（正確には紙面右斜め奥）から紙面奥方向（正確には紙面左斜め手前）に見た概略平面図である。図５には、第１部２２の表面２２ａ及び裏面２２ｂ、第２部２４の表面２４ａ及び裏面２４ｂが示されている。図６は、図５の第１部２２の裏面２２ｂを示す概略図である。裏面２２ｂの一部は、甲摺れ防止部２２ｂａ及び２２ｂｂとなっている。甲摺れ防止部２２ｂａは、足１０に足カバー２０装着したときに、足１０の甲が横緒１６ｂ（図１及び図２参照）と接する部分である。甲摺れ防止部２２ｂｂは、足１０に足カバー２０を装着したときに、足１０の甲が横緒１６ｃと接する部分である。第１部２２の長さＬ１は、横緒１６ｂの長さと略同一である。第１部２２の長さＬ２は、横緒１６ｃの長さと略同一である。第１部２２の幅Ｗは、横緒１６ｂ及び１６ｃの幅の１倍乃至５倍に形成される。第１部２２は、甲摺れ防止部として機能する。
【００２２】
図７は、図５の第２部２４の表面２４ａを示す概略図である。表面２４ａの一部は、足裏摺れ防止部２４ｂａ及び２４ｂｂとなっている。足裏摺れ防止部２４ｂａは、足１０に足カバー２０を装着したときに、足１０の拇指丘が台座１４（図１及び図２参照）と接する部分である。足裏摺れ防止部２４ｂｂは、足１０に足カバー２０を装着したときに、足１０の小指丘が台座１４と接する部分である。足裏摺れ防止部２４ｂａ，２４ｂｂは、親指の付け根である拇指丘及び小指の付け根である小指丘には接するが、足の踵には接しないように形成されている。このように、第２部２４の一部分は、足裏摺れ防止部として機能する。図７に示すように、足裏摺れ防止部２４ｂａは、足１０の拇指丘の領域と略同一の領域２２ｂａｓを中心として、１．５倍〜２倍広い領域として規定されている。同様に、足裏摺れ防止部２４ｂｂは、足１０の小指丘の領域と略同一の領域２２ｂｂｓを中心として、１．５倍〜２倍広い領域として規定されている。これにより、足のサイズの個人差に対応できるようになっている。
【００２３】
上述のように、足カバー２０は、足の全部を覆うのではなくて、踵、親指、第２指、第３指、第４指及び第５指が露出するように形成されているから、素足感覚が損なわれることを防止することができる。特に踵部が露出していることにより、例えば、子供の成長につれて足が大きくなっても、数年間は同一の足カバー２０を使用することができる。また、足カバー２０は甲摺れ防止部２２ｂａ，２２ｂｂ（図６参照）を有するから、甲摺れを防止することができる。また、足カバー２０は、指間摺れ防止部２０ｄ（図３参照）を有するから指間摺れを防止することができる。さらに、足カバー２０は、足裏摺れ防止部２４ｂａ，２４ｂｂ（図７参照）を有するから、足裏摺れを防止することができる。
甲摺れ防止部２２ｂａ，２２ｂｂは、横緒の幅の１倍〜５倍の幅であるから、下駄等の履用者が足を激しく前後左右に振る動作をしたとしても、確実に甲摺れを防止することができる。甲摺れ防止部２２ｂａ，２２ｂｂは、また、圧迫痛を軽減する作用を有する。
さらに、足裏摺れ防止部２４ｂａ，２４ｂｂは、親指の付け根である拇指丘及び小指の付け根である小指丘には接するが、足の踵には接しないように形成されているから、素足感覚が損なわれることを最低限にしつつ、足裏摺れを防止することができる。また、足裏摺れ防止部２４ｂａ，２４ｂｂは、圧迫痛を軽減する作用を有する。
【００２４】
以下、足カバー２０の製法について説明する。
図８は、第１部２２を示す概略平面図である。図９は、第２部２４を示す概略平面図である。図８に示すように、第１部２２は、右辺２２ｃ、左辺２２ｄ、右斜辺２２ｅ、左斜辺２２ｆ、前方曲部２２ｇ及び後方曲部２２ｈを有する。図９に示すように、第２部２４は、右辺２４ｃ、左辺２４ｄ、右斜辺２４ｅ、左斜辺２４ｆ、前方曲部２４ｇ及び後方直線部２４ｈを有する。なお、本実施形態とは異なり、後方直線部２４ｈは、曲線状でもよいし、波線状でもよい。
【００２５】
第１部２２及び第２部２４ともに、伸縮性及び弾力性を有する素材で形成されている。具体的には、ポリウレタン弾性繊維とナイロン糸との交編で形成されている。あるいは、ポリウレタン弾性繊維と、コットン糸又はアクリル糸の交編で形成されていてもよい。あるいは、ポリウレタン弾性繊維と、ナイロン糸、コットン糸及びアクリル糸のうち少なくとも２種類の混紡糸で形成されていてもよい。また、第１部２２及び第２部２４は、羊毛等の、天然素材で形成されていてもよい。
【００２６】
平編機で矩形シート状の生地を生成し、第１部２２及び第２部２４の形状に切断し、第１部２２及び第２部２４の所定箇所を縫い合わせる。具体的には、第１部２２の右辺２２ｃと第２部２４の右辺２４ｃとを縫い合わせ、第１部２２の左辺２２ｄと第２部２４の左辺２４ｄを縫い合わせ、第１部２２の前方曲部２２ｇと第２部２４の前方曲部２４ｇとを縫い合わせる。このようにして、第１部２２の後方曲部２２ｈと第２部２４の後方直線部２４ｈとで第１開口部２０ａが形成され、第１部２２の右斜辺２２ｅと第２部２４の右斜辺２４ｅとで第３開口部２０ｃが形成され、第１部２２の左斜辺２２ｆと第２部２４の左斜辺２４ｆとで第２開口部２０ｂが形成される。
【００２７】
上述のように、足カバー２０は、伸縮性及び弾力性を有する素材で形成されるから、足カバーと足が密着し、甲摺れ、指間摺れ、足裏摺れを効率的に防止することができる。また、足カバーが伸縮性を有する素材で形成されていることにより、個々人によって足のサイズが異なっても、足カバー２０と足を密着させることができる。さらに、足カバー２０は、弾力性を有する素材で形成されるから、足と鼻緒や台座とが接触する際に生じる圧迫感を軽減し、快適な履き心地を実現することができる。
【００２８】
なお、本実施の形態とは異なり、第１部２２の幅Ｗを、横緒１６ｂ及び１６ｃの幅と略同一に形成してもよい。この場合、甲摺れ防止部の大きさが最低限度において、甲摺れを防止することができる。このため、素足感覚が損なわれることを、最低限にすることができる。
【００２９】
また、本実施形態とは異なり、接着剤による接着または、熱溶融接着により、第１部２２と第２部２４とを結合させてもよい。
あるいは、本実施形態とは異なり、上述の素材から構成される織物生地を使用して、第１部２２及び第２部２４を形成してもよい。
また、本実施の形態とは異なり、第１部２２と第２部２４は、丸編み機で一体のものとして形成してもよい。この場合、上述の縫い合わせ等は不要である。
【００３０】
以下、第２の実施形態を説明する。
図１０は、第２の実施形態の足カバー２０Ａを示す概略斜視図である。
第２の実施形態の足カバー２０Ａは、第１の実施形態の足カバー２０の構成に加えて、レース部２１Ａ及び２１Ｂを有する。レース部２１Ａは、第２開口部２０ｂの周辺に配置される。レース部２１Ｂは、第３開口部２０ｃの周辺に配置される。
レース部２１Ａ及び２１Ｂを有することにより、足を物にぶつけたり、他人に足を踏まれた場合の怪我を防止したり、怪我の程度を低減することができる。
【図面の簡単な説明】
【００３１】
【図１】足カバーが、足に装着された状態を示す概略斜視図である。
【図２】足カバーを、図１の矢印Ｘ方向から見た図である。
【図３】足カバーの概略斜視図である。
【図４】足カバーの概略斜視図である。
【図５】図３の足カバーを紙面手前から紙面奥方向に見た概略平面図である。
【図６】図５の第１部の裏面を示す概略図である。
【図７】図５の第２部の裏面を示す概略図である。
【図８】第１部を示す概略平面図である。
【図９】第２部を示す概略平面図である。
【図１０】第２の実施形態の足カバーを示す概略斜視図である。
【図１１】右足に下駄を履いた状態を示す概略斜視図である。
【図１２】下駄等を履く場合に生じ得る痛みや怪我の部位を示す概略図である。
【符号の説明】
【００３２】
１０・・・足、２０，２０Ａ・・・足カバー、２０ａ・・・第１開口部、２０ｂ・・・第２開口部、２０ｃ・・・第３開口部、２２・・・第１部、２１Ａ，２１Ｂ・・・レース部、２４・・・第２部
【図１】
2009247447.tif 000003
【図２】
2009247447.tif 000004
【図３】
2009247447.tif 000005
【図４】
2009247447.tif 000006
【図５】
2009247447.tif 000007
【図６】
2009247447.tif 000008
【図７】
2009247447.tif 000009
【図８】
2009247447.tif 000010
【図９】
2009247447.tif 000011
【図１０】
2009247447.tif 000012
【図１１】
2009247447.tif 000013
【図１２】
2009247447.tif 000014